【手続補正書】
【提出日】平成19年11月26日(2007.11.26)
【手続補正１】
【補正対象書類名】特許請求の範囲
【補正対象項目名】全文
【補正方法】変更
【補正の内容】
【特許請求の範囲】
【請求項１】
電気泳動粒子を含有する分散系を共通電極と画素電極との間に介在させてなる電気泳動素子と、前記共通電極と前記画素電極との間に電圧を印加して前記電気泳動素子を駆動する駆動手段と、前記駆動手段を制御する制御手段と、を備える電気泳動装置の駆動方法であって、
画像書き換えを行うために、前記制御手段により前記駆動手段を制御して前記共通電極と前記画素電極に電圧を与える画像書き換え期間は、リセット期間と、当該リセット期間の後に設けられる画像信号導入期間とを含み、
前記リセット期間は、
中間階調よりも高輝度の第１の階調に相当する電圧を前記共通電極と前記画素電極との間に与え、当該電圧によって前記電気泳動粒子を移動させる第１リセット期間と、
中間階調よりも低輝度の第２の階調と前記第１の階調との間に含まれる第３の階調に相当する電圧を前記共通電極と前記画素電極との間に与え、当該電圧によって前記電気泳動粒子を移動させる第２リセット期間と、
を含むことを特徴とする、電気泳動装置の駆動方法。
【請求項２】
前記第１リセット期間は、最高輝度に相当する電圧を前記第１の階調に相当する電圧として印加し、
前記第２リセット期間は、中間階調よりも低く前記第２の階調よりも高い輝度に相当する電圧を前記第３の階調に相当する電圧として印加する、請求項１に記載の電気泳動装置の駆動方法。
【請求項３】
前記第１リセット期間における前記第１の階調に相当する電圧は、前記共通電極に高電源電位Ｖｄｄを与えるとともに前記画素電極に前記高電源電位Ｖｄｄよりも低い共通電位Ｖｃを与えることにより実現され、
前記第２リセット期間における前記第３の階調に相当する電圧は、前記共通電極に前記共通電位Ｖｃを与えるとともに前記画素電極に前記共通電位Ｖｃより高く、且つ前記高電源電位Ｖｄｄよりも低いリセット電位ＶRHを与えることにより実現される、請求項２に記載の電気泳動装置の駆動方法。
【請求項４】
前記画像信号導入期間は、前記共通電極に所定の共通電位Ｖｃを与えるとともに、当該共通電位Ｖｃを基準として相対的に正の電位又は負の電位を前記画素電極に与えることによって画像書き込みを行う、請求項１に記載の電気泳動装置の駆動方法。
【請求項５】
前記共通電位Ｖｃを高電源電位Ｖｄｄよりも低く低電源電位Ｖｓｓよりも高い電位とし、前記画素電極に与える電位をＶDH（ＶDH＞Ｖｃ）又はＶDL（ＶDL＜Ｖｃ）とする、請求項４に記載の電気泳動装置の駆動方法。
【請求項６】
前記共通電位Ｖｃを高電源電位Ｖｄｄと低電源電位Ｖｓｓとの中間電位（Ｖｄｄ＋Ｖｓｓ）／２とする、請求項４に記載の電気泳動装置の駆動方法。
【請求項７】
前記電気泳動装置は、一方の電極が前記共通電極と接続され、他方の電極が前記画素電極と接続されてなる保持容量を更に備える、請求項１に記載の電気泳動装置の駆動方法。
【請求項８】
電気泳動粒子を含有する分散系を共通電極と画素電極との間に介在させてなる電気泳動素子と、前記共通電極と前記画素電極との間に電圧を印加して前記電気泳動素子を駆動する駆動手段と、前記駆動手段を制御する制御手段と、を備える電気泳動装置の駆動方法であって、
画像書き換えを行うために、前記制御手段により前記駆動手段を制御して前記共通電極と前記画素電極に電圧を与える画像書き換え期間は、リセット期間と、当該リセット期間の後に設けられる画像信号導入期間とを含み、
前記リセット期間は、
中間階調よりも低輝度の第１の階調に相当する電圧を前記共通電極と前記画素電極との間に与え、当該電圧によって前記電気泳動粒子を移動させる第１リセット期間と、
中間階調よりも高輝度の第２の階調と前記第１の階調との間に含まれる第３の階調に相当する電圧を前記共通電極と前記画素電極との間に与え、当該電圧によって前記電気泳動粒子を移動させる第２リセット期間と、
を含むことを特徴とする、電気泳動装置の駆動方法。
【請求項９】
電気泳動粒子を含有する分散系を共通電極と画素電極との間に介在させてなる電気泳動素子と、
前記共通電極と前記画素電極との間に電圧を印加して前記電気泳動素子を駆動する駆動手段と、
前記駆動手段を制御する制御手段と、
を備え、
画像書き換えを行うために前記駆動手段が前記共通電極と前記画素電極に電圧を与える画像書き換え期間には、リセット期間と、当該リセット期間の後に設けられる画像信号導入期間とが含まれ、
前記リセット期間は、
中間階調よりも高輝度の第１の階調に相当する電圧を前記共通電極と前記画素電極との間に与え、当該電圧によって前記電気泳動粒子を移動させる第１リセット期間と、
中間階調よりも低輝度の第２の階調と、前記第１の階調との間に含まれる第３の階調に相当する電圧を前記共通電極と前記画素電極との間に与え、当該電圧によって前記電気泳動粒子を移動させる第２リセット期間と、
を含むことを特徴とする、電気泳動装置。
【請求項１０】
前記制御手段は、
前記第１リセット期間において、最高輝度に相当する電圧を前記第１の階調に相当する電圧として印加し、
前記第２リセット期間において、中間階調よりも低く前記第２の階調よりも高い輝度に相当する電圧を前記第３の階調に相当する電圧として印加する、請求項９に記載の電気泳動装置。
【請求項１１】
前記制御手段は、
前記第１リセット期間における前記第１の階調に相当する電圧を、前記共通電極に高電源電位Ｖｄｄを与えるとともに前記画素電極に前記高電源電位Ｖｄｄよりも低い共通電位Ｖｃを与えることにより実現し、
前記第２リセット期間における前記第３の階調に相当する電圧を、前記共通電極に前記共通電位Ｖｃを与えるとともに前記画素電極に前記共通電位Ｖｃより高く、且つ前記高電源電位Ｖｄｄよりも低いリセット電位ＶRHを与えることにより実現する、請求項１０に記載の電気泳動装置。
【請求項１２】
前記制御手段は、
前記画像信号導入期間において、前記共通電極に所定の共通電位Ｖｃを与えるとともに、当該共通電位Ｖｃを基準として相対的に正の電位又は負の電位を前記画素電極に与えることによって画像書き込みを行う、請求項９に記載の電気泳動装置。
【請求項１３】
前記制御手段は、
前記共通電位Ｖｃを高電源電位Ｖｄｄよりも低く低電源電位Ｖｓｓよりも高い電位とし、前記画素電極に与える電位をＶDH（ＶDH＞Ｖｃ）又はＶDL（ＶDL＜Ｖｃ）とする、請求項１２に記載の電気泳動装置。
【請求項１４】
前記共通電位Ｖｃを高電源電位Ｖｄｄと低電源電位Ｖｓｓとの中間電位（Ｖｄｄ＋Ｖｓｓ）／２とする、請求項１２に記載の電気泳動装置。
【請求項１５】
一方の電極が前記共通電極と接続され、他方の電極が前記画素電極と接続されてなる保持容量を更に備える、請求項９に記載の電気泳動装置。
【請求項１６】
電気泳動粒子を含有する分散系を共通電極と画素電極との間に介在させてなる電気泳動素子と、
前記共通電極と前記画素電極との間に電圧を印加して前記電気泳動素子を駆動する駆動手段と、
前記駆動手段を制御する制御手段と、
を備え、
画像書き換えを行うために前記駆動手段が前記共通電極と前記画素電極に電圧を与える画像書き換え期間には、リセット期間と、当該リセット期間の後に設けられる画像信号導入期間とが含まれ、
前記リセット期間は、
中間階調よりも低輝度の第１の階調に相当する電圧を前記共通電極と前記画素電極との間に与え、当該電圧によって前記電気泳動粒子を移動させる第１リセット期間と、
中間階調よりも高輝度の第２の階調と、前記第１の階調との間に含まれる第３の階調に相当する電圧を前記共通電極と前記画素電極との間に与え、当該電圧によって前記電気泳動粒子を移動させる第２リセット期間と、
を含むことを特徴とする、電気泳動装置。
【請求項１７】
請求項９乃至１６のいずれかに記載の電気泳動装置を備える電子機器。
【手続補正２】
【補正対象書類名】明細書
【補正対象項目名】００１９
【補正方法】変更
【補正の内容】
【００１９】
また、上記画像信号導入期間は、上記共通電極に所定の共通電位Ｖｃを与えるとともに、当該共通電位Ｖｃを基準として相対的に正の電位又は負の電位を上記画素電極に与えることによって画像書き込みを行うことが好ましい。より具体的には、上記共通電位Ｖｃを高電源電位Ｖｄｄよりも低く低電源電位Ｖｓｓよりも高い電位（すなわちＶｓｓ＜Ｖｃ＜Ｖｄｄの条件を満たす電位）とし、上記画素電極に与える電位をＶDH（ＶDH＞Ｖｃ）又はＶDL（ＶDL＜Ｖｃ）とするとよい。ＶDH及びＶDLは、例えばＶDH＝Ｖｄｄ、ＶDL＝Ｖｓｓとすることができる。
【手続補正３】
【補正対象書類名】明細書
【補正対象項目名】００２９
【補正方法】変更
【補正の内容】
【００２９】
より具体的には、上記第１リセット期間における上記第１の階調に相当する電圧は、上記共通電極に低電源電位Ｖｓｓを与えるとともに上記画素電極に上記低電源電位Ｖｓｓよりも高い共通電位Ｖｃを与えることにより実現され、上記第２リセット期間における上記第３の階調に相当する電圧は、上記共通電極に上記共通電位Ｖｃを与えるとともに上記画素電極に上記共通電位Ｖｃより低く、且つ上記低電源電位Ｖｓｓよりも高いリセット電位ＶRLを与えることにより実現されることが好ましい。
【手続補正４】
【補正対象書類名】明細書
【補正対象項目名】００３１
【補正方法】変更
【補正の内容】
【００３１】
また、上記画像信号導入期間は、上記共通電極に所定の共通電位Ｖｃを与えるとともに、当該共通電位Ｖｃを基準として相対的に正の電位又は負の電位を上記画素電極に与えることによって画像書き込みを行うことが好ましい。より具体的には、上記共通電位Ｖｃを高電源電位Ｖｄｄよりも低く低電源電位Ｖｓｓよりも高い電位（すなわちＶｓｓ＜Ｖｃ＜Ｖｄｄの条件を満たす電位）とし、上記画素電極に与える電位をＶDH（ＶDH＞Ｖｃ）又はＶDL（ＶDL＜Ｖｃ）とするとよい。ＶDH及びＶDLは、例えばＶDH＝Ｖｄｄ、ＶDL＝Ｖｓｓとすることができる。
【手続補正５】
【補正対象書類名】明細書
【補正対象項目名】００４３
【補正方法】変更
【補正の内容】
【００４３】
また、上記制御手段は、上記画像信号導入期間において、上記共通電極に所定の共通電位Ｖｃを与えるとともに、当該共通電位Ｖｃを基準として相対的に正の電位又は負の電位を上記画素電極に与えることによって画像書き込みを行うことが好ましい。より具体的には、制御手段は、上記共通電位Ｖｃを高電源電位Ｖｄｄよりも低く低電源電位Ｖｓｓよりも高い電位（すなわちＶｓｓ＜Ｖｃ＜Ｖｄｄの条件を満たす電位）とし、上記画素電極に与える電位をＶDH（ＶDH＞Ｖｃ）又はＶDL（ＶDL＜Ｖｃ）とするとよい。ＶDH及びＶDLは、例えばＶDH＝Ｖｄｄ、ＶDL＝Ｖｓｓとすることができる。
【手続補正６】
【補正対象書類名】明細書
【補正対象項目名】００４９
【補正方法】変更
【補正の内容】
【００４９】
第４の態様の本発明は、電気泳動粒子を含有する分散系を共通電極と画素電極との間に介在させてなる電気泳動素子と、上記共通電極と上記画素電極との間に電圧を印加して上記電気泳動素子を駆動する駆動手段と、上記駆動手段を制御する制御手段と、を備え、画像書き換えを行うために上記駆動手段が上記共通電極と上記画素電極に電圧を与える画像書き換え期間には、リセット期間と、当該リセット期間の後に設けられる画像信号導入期間とが含まれ、上記リセット期間は、中間階調よりも低輝度の第１の階調に相当する電圧を上記共通電極と上記画素電極との間に与え、当該電圧によって上記電気泳動粒子を移動させる第１リセット期間と、中間階調よりも高輝度の第２の階調と、上記第１の階調との間に含まれる第３の階調に相当する電圧を上記共通電極と上記画素電極との間に与え、当該電圧によって上記電気泳動粒子を移動させる第２リセット期間と、を含むことを特徴とする電気泳動装置である。
【手続補正７】
【補正対象書類名】明細書
【補正対象項目名】００５３
【補正方法】変更
【補正の内容】
【００５３】
より具体的には、上記制御手段は、上記第１リセット期間における上記第１の階調に相当する電圧を、上記共通電極に低電源電位Ｖｓｓを与えるとともに上記画素電極に上記低電源電位Ｖｓｓよりも高い共通電位Ｖｃを与えることにより実現し、上記第２リセット期間における上記第３の階調に相当する電圧を、上記共通電極に上記共通電位Ｖｃを与えるとともに上記画素電極に上記共通電位Ｖｃより低く、且つ上記低電源電位Ｖｓｓよりも高いリセット電位ＶRLを与えることにより実現することが好ましい。
【手続補正８】
【補正対象書類名】明細書
【補正対象項目名】００５５
【補正方法】変更
【補正の内容】
【００５５】
また、上記制御手段は、上記画像信号導入期間において、上記共通電極に所定の共通電位Ｖｃを与えるとともに、当該共通電位Ｖｃを基準として相対的に正の電位又は負の電位を上記画素電極に与えることによって画像書き込みを行うことが好ましい。より具体的には、制御手段は、上記共通電位Ｖｃを高電源電位Ｖｄｄよりも低く低電源電位Ｖｓｓよりも高い電位（すなわちＶｓｓ＜Ｖｃ＜Ｖｄｄの条件を満たす電位）とし、上記画素電極に与える電位をＶDH（ＶDH＞Ｖｃ）又はＶDL（ＶDL＜Ｖｃ）とするとよい。ＶDH及びＶDLは、例えばＶDH＝Ｖｄｄ、ＶDL＝Ｖｓｓとすることができる。
【手続補正９】
【補正対象書類名】明細書
【補正対象項目名】００７７
【補正方法】変更
【補正の内容】
【００７７】
図５〜図８は、本実施形態の駆動方法によって駆動させる電気泳動粒子の挙動を模式的に説明する図であり、図４に例示した駆動波形に対応した各電気泳動素子３６、３７の挙動が示されている。なお、以下では説明の便宜上、電気泳動素子３６（マイナスに帯電）を「白粒子」、電気泳動素子３７（プラスに帯電）を「黒粒子」と称する。
【手続補正１０】
【補正対象書類名】明細書
【補正対象項目名】００８１
【補正方法】変更
【補正の内容】
【００８１】
図８は、データ線信号Ｘ２、走査線信号Ｙ２のそれぞれが供給される画素（２，２）において、前画面が黒表示であり、次画面も黒表示とする場合の電気泳動粒子の挙動を模式的に示している。前画面においては、図８（Ａ）に示すように、共通電位ＶｃｏｍとしてはＶｃ（＋５Ｖ）、画素電極にはＶDH'（本例ではＶｄｄだが、リークの影響により＋９
Ｖ程度に低下）の各電位が与えられ、共通電極（上側電極）に黒粒子、画素電極（下側電極）に白粒子がそれぞれ引き寄せられ、画素（２，２）はほぼ最低輝度の階調、すなわち黒表示となる。第１のリセット期間ｒ１においては、図８（Ｂ）に示すように、共通電位ＶｃｏｍとしてはＶｄｄ（＋１０Ｖ）、画素電極にはＶｃ（＋５Ｖ）の各電位が与えられる。このとき、白粒子は共通電極、黒粒子は画素電極にそれぞれ引き寄せられ、リセット動作としての白表示がなされる。ただし本例では、各電気泳動粒子が十分に移動しきらないため、最高輝度の階調とはならない。第２のリセット期間ｒ２においては、図８（Ｃ）に示すように、共通電位ＶｃｏｍとしてはＶｃ（＋５Ｖ）、画素電極にはリセット電位ＶRH（＋７．５Ｖ）の各電位が与えられる。このとき、白粒子は画素電極、黒粒子は共通電極にそれぞれ引き寄せられるが、電圧がそれほど高くないため図示のように両粒子が適度に混合した分布状態となり、リセット動作としての中間階調表示がなされる。その後、次画面においては、図８（Ｄ）に示すように、共通電位ＶｃｏｍとしてＶｃ（＋５Ｖ）、画素電極にはＶDH（本例ではＶｄｄ＝＋１０Ｖ）の各電位が与えられ、白粒子は画素電極、黒粒子は共通電極にそれぞれ引き寄せられ、画素（２，２）はほぼ最低輝度の階調、すなわち黒表示となる。事前に中間階調表示によるリセット動作がなされることで、各電気泳動粒子が動きやすい状態となるため、前画面の表示内容によらず適切な階調での黒表示が実現される。
【手続補正１１】
【補正対象書類名】明細書
【補正対象項目名】００８８
【補正方法】変更
【補正の内容】
【００８８】
図１０に示す例では、第１リセット期間ｒ１においては第１の階調に相当する電圧として、最低輝度（すなわち、最も強い黒色）に相当する電圧を印加することにより、全画素を最低階調にリセットする。また、第２リセット期間ｒ２においては第３の階調に相当する電圧として、中間階調よりも高く第２の階調よりも低い輝度に相当する電圧を印加することにより、全画素を中間階調にリセットする。より具体的には、第１リセット期間における第１の階調に相当する電圧は、共通電極に低電源電位Ｖｓｓ（例えば０Ｖ）を与えるとともに画素電極にＶｓｓよりも高い共通電位Ｖｃ（例えば＋５Ｖ）を与えることにより実現される。このとき、画素電極からみた共通電極の電位はＶｓｓ−Ｖｃとなる。本実施形態ではＶｓｓ＜Ｖｃ＜Ｖｄｄと設定してあるので、Ｖｓｓ−Ｖｃは負電位となり、正に帯電した粒子（例えば黒粒子）は共通電極に引き寄せられる。また、第２リセット期間における第３の階調に相当する電圧は、共通電極に共通電位Ｖｃ（例えば＋５Ｖ）を与えるとともに画素電極に共通電位Ｖｃより低く、且つ低電源電位Ｖｓｓよりも高いリセット電位ＶRL、すなわちＶｓｓ＜ＶRL＜Ｖｃの関係を満たす電位（例えば＋２．５Ｖ）を与えることにより実現される。このとき、画素電極からみた共通電極の電位はＶｃ−ＶRLとなり、Ｖｓｓ＜ＶRL＜ＶｃであるのでＶｃ−ＶRLは正電位となり、負に帯電した粒子（例えば白粒子）が共通電極に引き寄せられる。
【手続補正１２】
【補正対象書類名】明細書
【補正対象項目名】００９５
【補正方法】変更
【補正の内容】
【００９５】
【図１】一実施形態の電気泳動表示装置の回路構成を概略的に説明するブロック図である。
【図２】各画素回路の構成を説明する回路図である。
【図３】電気泳動素子の構成例を説明する模式断面図である。
【図４】各電気泳動素子の駆動方法について説明する波形図である。
【図５】電気泳動粒子の挙動を模式的に説明する図である。
【図６】電気泳動粒子の挙動を模式的に説明する図である。
【図７】電気泳動粒子の挙動を模式的に説明する図である。
【図８】電気泳動粒子の挙動を模式的に説明する図である。
【図９】電気泳動表示装置を備える電子機器の例について説明する斜視図である。
【図１０】第１リセット期間において黒リセットを行う場合における各電気泳動素子の駆動方法について説明する波形図である。
【図１１】インプレーン型の電気泳動素子の構成例を説明する図である。
【図１２】アクティブマトリクス型の電気泳動装置の回路構成例を説明する図である。
【図１３】図１２に示すような構成の電気泳動装置の駆動方法についての従来例を説明する波形図である。
【図１４】図１３に示す従来例の駆動方法によって駆動された場合における電気泳動粒子の挙動（空間分布）を模式的に説明する図である。
【図１５】図１３に示す従来例の駆動方法によって駆動された場合における電気泳動粒子の挙動（空間分布）を模式的に説明する図である。
【図１６】図１３に示す従来例の駆動方法によって駆動された場合における電気泳動粒子の挙動（空間分布）を模式的に説明する図である。
【図１７】図１３に示す従来例の駆動方法によって駆動された場合における電気泳動粒子の挙動（空間分布）を模式的に説明する図である。